【手続補正書】
【提出日】平成17年4月27日(2005.4.27)
【手続補正１】
【補正対象書類名】明細書
【補正対象項目名】全文
【補正方法】変更
【補正の内容】
【書類名】      明細書
【発明の名称】  高所作業車の安全装置
【特許請求の範囲】
【請求項１】  車両（１２）上に配置した作業台移動手段（１０）に複数の作業員が搭乗可能な作業台（１５）を取り付け、該作業台移動手段（１０）の作動により上記作業台（１５）を移動させるように構成された高所作業車において、
上記作業台（１５）又は上記作業台移動手段（１０）の適所に、作業員が装備した命綱としての補助ロープ（３１）に備えられたフック（３２）又はダミーフックを係脱自在に係止するためのフック係止部（２１），（２２），・・を、上記作業台（１５）に搭乗可能な作業員数と同数だけ備える一方、
上記各フック係止部（２１），（２２），・・のそれぞれに、該各フック係止部（２１），（２２），・・に上記各フック（３２），（３２），・・、又は上記ダミーフックがそれぞれ係止されているときにこれを検出してフック係止信号を制御手段（１）に出力するフック検出手段（４），（５），・・を設けるとともに、
上記制御手段（１）は、上記各フック検出手段（４），（５），・・の全てから上記フック係止信号が入力されている時にのみ上記作業台移動手段（１０）の作動を許容し、上記各フック検出手段（４），（５），・・の全てから上記フック係止信号が入力されていない時には所定の警報を発し又は上記作業台移動手段（１０）の作動を規制するように構成されていることを特徴とする高所作業車の安全装置。
【請求項２】  請求項１において、
上記制御手段（１）は、該制御手段（１）への作動用電源の入力時点において上記各フック検出手段（４），（５），・・の少なくともいずれか一つからフック係止信号が入力された時には所定の警報を発し又は上記作業台移動手段（１０）の作動を規制する如く構成されていることを特徴とする高所作業車の安全装置。
【請求項３】  請求項２において、
上記制御手段（１）は、上記各フック検出手段（４），（５），・・のいずれもからフック係止信号が出力されていない状態を経過した後において上記各フック検出手段（４），（５），・・の全てからフック係止信号が入力されたときにのみ、上記作業台移動手段（１０）の作動を許容する如く構成されていることを特徴とする高所作業車の安全装置。
【発明の詳細な説明】
【０００１】
【発明の属する技術分野】
【０００２】
本願発明は、高所作業車において作業上の安全を確保するための安全装置に関するものである。
【従来の技術】
【０００３】
高所作業車は、車両上に搭載した伸縮ブーム等の昇降手段の先端部に、作業員が搭乗する作業台を取り付けて構成され、該作業台を適宜昇降移動させて所要の作業を行うようになっている。
【０００４】
この場合、上記作業台上での作業が高所作業であり、作業中における作業員の安全性の確保が必要であるという観点から、例えば上記作業台の適所にフック係止部を設け、該作業台上に搭乗した作業員が装着している命綱となる補助ロープの一端に設けられたフックを上記フック係止部に係止することで作業員の作業台からの転落事故の発生を未然に防止するようにした安全装置を備えることが通例である。
【０００５】
しかし、例え上記の如き安全装置が備えられていたとしても、例えば作業台に搭乗した作業員が補助ロープのフックをフック係止部に係止せずにそのまま作業台を作動させて作業を行ったのでは、上記安全装置が何ら意味を為さない。
【０００６】
このため、例えば、実公平７−２０１５９号公報に示されるように、上記フック係止部へのフックの係止の有無を検知する検知手段を備え、該検知手段により上記フック係止部に上記フックが係止されていることが検知された場合においてのみ高所作業車の作動を許容して上記作業台での作業を可能とする技術が提案されている。
【０００７】
ところで、高所作業車は、安全上許容される定格荷重に応じて、上記作業台への搭乗可能な作業員数（以下、便宜上「最大搭乗員数」という）が決定されており、この「最大搭乗員数」は、「１」である場合もあるし、「２以上の複数」の場合もある。そして、この場合、上記フック係止部は、「最大搭乗員数」と同数だけ備えられている。例えば、「最大搭乗員数」が「２」である場合には、作業台の二か所にそれぞれフック係止部が備えられている。
【０００８】
また、実際の作業状態を考えてみると、「最大搭乗員数」が「複数」である場合においても、常時、「最大搭乗員数」と同じ人数の作業員が搭乗するとは限らず、実際の搭乗人数は一人だけというような場合もあり得る。かかる場合にも高所作業車の作動を可能とする必要があることから、従来の安全装置においては、例え「最大搭乗員数」が「複数」であっても、搭乗した作業員のうちの一人がその補助ロープのフックを複数のフック係止部のうちのいずれかに係止することで高所作業車の作動を許容するように構成している。
【発明が解決しようとする課題】
【０００９】
ところが、このような構成とすると、例えば、複数のフック係止部のそれぞれに対応して設けられた検知手段のうちのいずれか一つが、それ自身の故障とかゴミ等の異物の存在等によって誤作動した場合には、いずれの作業員もフックを係止していないにも拘わらず「フックの係止」と誤検出し、高所作業車の作動が許容されることになる。また、例えば複数の作業員が搭乗している場合において、そのうちの一人がフックの係止を行えば、他の作業員がフックの係止をしていない状態でも高所作業車の作動が許容されることになる。即ち、これらいずれの場合においても、補助ロープのフックをフック係止部に係止していない作業員が存在するにも拘わらず高所作業車の作動が許容されるものであり、作業員の安全性の確保という点において問題がある。
【００１０】
そこで本願発明は、作業台に搭乗した作業員全員の安全性の確保をより確実とする高所作業車の安全装置を提供することを目的としてなされたものである。
【課題を解決するための手段】
【００１１】
本願発明ではかかる課題を解決するための具体的手段として次のような構成を採用している。
【００１２】
本願の第１の発明では、車両１２上に配置した作業台移動手段１０に複数の作業員が搭乗可能な作業台１５を取り付け、該作業台移動手段１０の作動により上記作業台１５を移動させるように構成された高所作業車において、上記作業台１５又は上記作業台移動手段１０の適所に、作業員が装備した命綱としての補助ロープ３１に備えられたフック３２又はダミーフックを係脱自在に係止するためのフック係止部２１，２２，・・を、上記作業台１５に搭乗可能な作業員数と同数だけ備える一方、上記各フック係止部２１，２２，・・のそれぞれに、該各フック係止部２１，２２，・・に上記各フック３２，３２，・・、又はダミーフックがそれぞれ係止されているときにこれを検出してフック係止信号を制御手段１に出力するフック検出手段４，５，・・を設けるとともに、上記制御手段１を、上記各フック検出手段４，５，・・の全てから上記フック係止信号が入力されている時にのみ上記作業台移動手段１０の作動を許容し、上記各フック検出手段４，５，・・の全てから上記フック係止信号が入力されていない時には所定の警報を発し又は上記作業台移動手段１０の作動を規制するように構成したことを特徴としている。
【００１３】
本願の第２の発明では、上記第１の発明にかかる高所作業車の安全装置において、上記制御手段１を、該制御手段１への作動用電源の入力時点において上記各フック検出手段４，５，・・の少なくともいずれか一つからフック係止信号が入力された時には所定の警報を発し又は上記作業台移動手段１０の作動を規制する如く構成したことを特徴としている。
【００１４】
本願の第３の発明では、上記第２の発明にかかる高所作業車の安全装置において、上記制御手段１を、上記各フック検出手段４，５，・・のいずれもからフック係止信号が出力されていない状態を経過した後において上記各フック検出手段４，５，・・の全てからフック係止信号が入力されたときにのみ、上記作業台移動手段１０の作動を許容する如く構成したことを特徴としている。
【発明の効果】
【００１５】
本願発明ではかかる構成とすることにより次のような効果が得られる。
【００１６】
（イ）  本願の第１の発明にかかる高所作業車の安全装置によれば、作業台１５又は作業台移動手段１０の適所に、該作業台１５に搭乗可能な作業員数と同数だけ備えられた複数のフック係止部２１，２２，・・のそれぞれに、作業員の全員がそれぞれ装着した補助ロープ３１，３１，・・のフック３２，３２，・・又はダミーフックが係止され各フック検出手段４，５，・・の全てからフック係止信号が制御手段１に入力された時にのみ上記作業台移動手段１０の作動が許容され、上記作業台１５上での作業が可能となり、上記各フック検出手段４，５，・・の全てから上記フック係止信号が入力されていない時には所定の警報が発せられ又は上記作業台移動手段１０の作動そのものが規制される。
【００１７】
即ち、作業台１５に搭乗した作業員のうち、補助ロープ３１のフック３２をフック係止部に係止していない者が存在し且つこの存在しない作業員の数だけ上記ダミーフックが係止されない限り、換言すれば、作業台１５に搭乗した作業員の数が「最大搭乗員数」である場合は勿論のこと、搭乗した作業員の数が「最大搭乗員数」よりも少ないような場合においても、作業員全員の安全性が確認されない限り、警報によって上記フック３２を係止するよう作業員に対して注意が喚起され、あるいは作業台移動手段１０の作動が規制されることとなり、この結果、作業台１５に搭乗した作業員全員の安全性確保がより確実ならしめられるものである。
【００１８】
（ロ）  本願の第２の発明にかかる高所作業車の安全装置によれば、制御手段１への作動用電源の入力時点、即ち、作業員がこれからの作業に備えて意識的にその補助ロープ３１のフック３２あるいは上記ダミーフックを上記フック係止部２１，２２，・・に係止したとは考えにくい状況下において、上記フック検出手段４，５，・・の少なくともいずれか一つからフック係止信号が上記制御手段１に入力された時には、該フック係止信号の入力は、例えば上記各フック検出手段４，５，・・のうちのいずれかの故障とかゴミ等の異物の存在によりその正常な作動が阻害されている場合、あるいは前回の作業時に係止されたダミーフックが取り外されずにそのまま放置されている場合等の異常状態時であると判断されるので、この場合には上記フック検出手段４，５，・・の点検修理を喚起し、又は作業台移動手段１０の作動による危険性を回避すべく、所定の警報が発せられ、又は上記作業台移動手段１０の作動が規制される。これにより、上記（イ）に記載の効果に加えて、上記の如き異常状態時における作業員の安全性が確保されるものである。
【００１９】
（ハ）  本願の第３の発明にかかる高所作業車の安全装置によれば、上記（ロ）に記載の効果に加えて次のような特有の効果が奏せられる。即ち、この発明では、上記制御手段１を、上記各フック検出手段４，５，・・のいずれもからフック係止信号が出力されていない状態を経過した後において上記各フック検出手段４，５，・・の全てからフック係止信号が入力されたときにのみ、換言すれば、上記異常状態に対する対策が採られ異常状態が解消された後において作業員により上記各第１フック係止部２１，２２，・・の全てに上記補助ロープ３１のフック３２あるいは上記ダミーフックが係止されたときにのみ、上記作業台移動手段１０の作動が許容され、作業員全員の安全性の確保がより一層確実ならしめられるものである。
【発明の実施の形態】
【００２０】
図１には、本願発明にかかる安全装置を備えた高所作業車Ｚを示している。この高所作業車Ｚは、車両１２上に旋回自在に搭載された旋回台１３に伸縮式ブーム１４を起伏自在に取り付けるとともに、該ブーム１４の先端部にはバケット支持部１６とバケット１７とでなる作業台１５を取り付けて構成される。尚、この実施形態のものにおいては、上記旋回台１３とブーム１４とで特許請求の範囲中の「昇降手段」が構成される。
【００２１】
上記旋回台１３側には、後述する制御手段１と油圧ユニット２及び旋回台側送受信手段７（図５参照）とが備えられている。
【００２２】
上記作業台１５は、図１〜図４に示すように、作業員搭乗用のバケット１７と該バケット１７を上記ブーム１４の先端部に連結支持するバケット支持部１６とで構成される。上記バケット支持部１６には、上記バケット１７に搭乗した作業員によって適宜傾倒操作される操作レバー１８が設けられており、該操作レバー１８の操作に対応して出力される操作信号は、上記制御手段１に入力される。そして、この操作信号に対応して上記制御手段１から出力される制御信号を受けて上記油圧ユニット２が作動し、各油圧アクチュエータの動作に基づく上記作業台１５の移動が実現される。
【００２３】
さらに、この実施形態における上記作業台１５は、「最大搭乗員数」が「２」、即ち、上記バケット１７に最大二人の作業員が搭乗できるものであって、この「最大搭乗員数」に対応して、上記バケット支持部１６には、次述する第１及び第２フック係止部２１，２２が設けられている。
【００２４】
上記第１フック係止部２１及び第２フック係止部２２は、上記バケット支持部１６の幅方向両側にそれぞれ設けられるものであって、その構造は同一とされているので、ここでは上記第１フック係止部２１を例にとってこれを説明する。
【００２５】
上記第１フック係止部２１は、作業員が作業時に自己の腰に装着するベルトにその一端が連結された命綱となる所定長さの補助ロープ３１の他端に取り付けられたフック３２が着脱自在に係止されるものであって、略Ｕ字状形態をもち且つその開口端を上方に向けて上記バケット支持部１６側に固定配置されたブラケット２３の左右両端２３ａ，２３ｂ間に跨がって取り付けられたロッド体で構成される。
【００２６】
そして、この第１フック係止部２１には、図３〜図５に示すように、上記補助ロープ３１の一端に取り付けられたフック３２が着脱自在に係止可能とされるが、この第１フック係止部２１への上記フック３２の係止状態を検知するために、この実施形態のものにおいては、次述する第１フック検出手段４が備えられている。
【００２７】
上記第１フック係止部２１は、この実施形態においては、これを受光器２５と投光器２６とからなる光電スイッチで構成している。そして、該受光器２５と投光器２６とを上記第１フック係止部２１の軸方向に所定間隔離間させて対向させるべく、該受光器２５を上記ブラケット２３の一方の端部２３ａの外側に、上記投光器２６を上記ブラケット２３の他方の端部２３ｂの内側にそれぞれ配置している。また、上記ブラケット２３の一方の端部２３ａ側には光透過用の透孔２９を形成する一方、他方の端部２３ｂ側には上記投光器２６と上記フック３２との干渉を回避させるべく保護カバー２４を設けている。
【００２８】
さらに、この第１フック検出手段４を構成する上記受光器２５と投光器２６の上記第１フック係止部２１に対する相対的な取付位置は、該第１フック係止部２１に上記フック３２が係止された状態において、上記投光器２６から上記受光器２５に照射される光を該フック３２によって遮断し得る位置とされている。そして、この第１フック検出手段４は、上記投光器２６から受光器２５へ照射される光が上記フック３２によって遮断されることで該フック３２が第１フック係止部２１に係止されていることを検出し、上記制御手段１に対してフック係止信号を出力するように構成されている。
【００２９】
尚、上記第２フック係止部２２側にも、上記第１フック検出手段４と同様に、受光器２７と投光器２８とで構成される第２フック検出手段５が備えられており、該第２フック検出手段５は、上記投光器２８から上記受光器２７側に照射される光が上記第２フック係止部２２に係止された上記フック３２によって遮断されることで該フック３２の係止状態を検出し、上記制御手段１に対してフック係止信号を出力するようになっている。
【００３０】
尚、上記フック３２が取り付けられた上記補助ロープ３１は、上記作業台１５に搭乗する作業員個々が予め装着しあるいは携行するものであるが、この実施形態のものにおいては、上記補助ロープ３１の他に、ダミーフック（図示省略）が備えられている。このダミーフックは、要するに上記各フック係止部２１，２２に対して係脱自在に係止可能で且つその係止状態において上記各フック検出手段４，５の照射光を遮断して該各フック検出手段４，５をして上記フック係止信号を出力させ得る構成のものであれば機能上十分であり、例えば上記フック３２と同様の形状・構造のものでも良い。
【００３１】
また、この実施形態においては、上述のように、上記各フック検出手段４，５を、それぞれ受光器２５と投光器２６、受光器２７と投光器２８とからなる投受光方式の光電スイッチで構成しているが、かかるものに限定されるものではなく、例えば反射式の光電スイッチとか、近接スイッチあるいはリミットスイッチ等、必要に応じて種々選択できるものである。
【００３２】
一方、図５には、上記旋回台１３側と作業台１５側との間における信号伝達システムをブロック化して図示している。ここで、上記旋回台１３側には、上述のように上記制御手段１と油圧ユニット２とが備えられるが、これに加えて信号の送受信用に旋回台側送受信手段７が備えられている。これに対して、上記作業台１５側には、上述のように上記操作レバー１８で構成される操作部３と上記第１フック検出手段４及び第２フック検出手段５が備えられるが、これに加えて信号送受信用の作業台側送受信手段８と警報手段６とが備えられている。そして、上記旋回台側送受信手段７と作業台側送受信手段８との間は、適宜の信号伝達手段９によって連絡されている。
【００３３】
尚、上記旋回台側送受信手段７と作業台側送受信手段８及び信号伝達手段９は、送受信方式によって適宜選択されるものであって、例えば旋回台１３と作業台１５との間の絶縁が要求されない用途の高所作業車Ｚにあっては、上記旋回台１３側と作業台１５側との間の信号の授受を電気信号で行うことが可能であることから、上記旋回台側送受信手段７及び作業台側送受信手段８を継電器で、また上記信号伝達手段９を電線で、それぞれ構成することができる。これに対して、旋回台１３と作業台１５との間の絶縁が要求される用途の高所作業車Ｚにあっては、上記旋回台１３側と作業台１５側との間の信号の授受を例えば光信号で行うものとし、これに対応して、上記旋回台側送受信手段７及び作業台側送受信手段８を光トランスミッタで、また上記信号伝達手段９を光ケーブルで、それぞれ構成することができる。
【００３４】
また、上記警報手段６としては、ブザー等の警報音発生機構、スピーカ等の音声警報発生機構、ディスプレイ等の画像警報発生機構、あるいはこれら各機構を組み合わせたもの等、必要に応じて種々選択できるものである。
【００３５】
ところで、上記制御手段１は、上記フック検出手段４，５と共に安全装置の主体部を構成するものであって、上記各フック検出手段４，５からのフック係止信号の入力の有無によって、例えば、作業員が二人搭乗した場合においてその全員がそれぞれの補助ロープ３１のフック３２を上記各フック係止部２１，２２に確実に係止しているかどうか、作業員が一人しか搭乗していない場合においてはその作業員が自己が装着している補助ロープ３１のフック３２を上記各フック係止部２１，２２のいずれか一方に係止するとともに上記ダミーフックを上記各フック係止部２１，２２のいずれが他方に係止しているかどうかを判定する（即ち、作業員全員の安全性が確保された状態であるかどうかを判定する）とともに、同時に、上記各フック検出手段４，５の故障とかゴミ等の異物の存在により該各フック検出手段４，５が誤検出していないかどうか（即ち、各フック検出手段４，５の作動上の信頼性が確保されているかどうか）、あるいは上記ダミーフックが係止されたまま放置され上記各フック検出手段４，５による適正な検出が阻害されていないかどうか、等を判定する。そして、作業員全員の安全性が確保され且つ上記各フック検出手段４，５の作動上の信頼性も確保されている場合には上記操作レバー１８の操作に基づく上記作業台移動手段１０の作動を許容して所要の高所作業を可能とする一方、作業員全員の安全性が確保されていない場合、あるいは上記各フック検出手段４，５の作動上の信頼性が確保されていない場合には、上記警報手段６により所定の警報を発して作業員に注意を喚起し、あるいは上記操作レバー１８の操作に基づく上記作業台移動手段１０の作動を規制して安全性が担保されていない状態での作業の実行を未然に防止するものである。
【００３６】
尚、上記作業台移動手段１０の「規制」の態様としては、例えば、該作業台移動手段１０の作動を禁止する態様とか、該作業台移動手段１０の作動速度を低下させる態様等が考えられる。また、かかる態様を実現するための具体的な手法としては、例えば、上記操作レバー１８の操作信号の出力を阻止し（作動禁止態様）あるいは該操作信号を減少補正して出力する（減速態様）手法とか、発生油圧をアンロードさせ（作動禁止態様）あるいは適度に絞る（減速態様）手法等が考えられる。
【００３７】
続いて、図６に示すフローチャートに基づいて、上記制御手段１による作業上の安全性確保のための制御を具体的に説明する。
【００３８】
上記高所作業車Ｚを使用しての高所作業を行うべく上記作業台１５側に電源が投入されると（ステップＳ１）、先ずステップＳ２においては、この電源投入時点において上記各フック検出手段４，５のいずれかがフック係止信号を出力していないかどうかが判定される。
【００３９】
ここで、この各フック検出手段４，５のいずれからもフック係止信号が出力されていない状態は、上記各フック係止部２１，２２に上記補助ロープ３１のフック３２あるいはダミーフックが係止されておらず、且つ上記各フック検出手段４，５も正常に作動しその信頼性が確保された正常状態であり、従ってこの場合には、ステップＳ３に移行してイニシャライズし、以後の高所作業に備える。
【００４０】
これに対して、上記各フック検出手段４，５のいずれかがフック係止信号を出力している状態は、例えば、上記各フック係止部２１，２２に前回の作業時からそのまま上記補助ロープ３１のフック３２あるいはダミーフックが係止されたまま放置されている状態とか、上記各フック検出手段４，５そのものが故障し上記各フック係止部２１，２２にフック３２等が係止されていないにも拘わらず係止状態を誤検出してフック係止信号を出力している状態、あるいは上記各フック検出手段４，５にゴミ等の異物が存在しこれが各フック検出手段４，５の照射光を遮断したことでフック係止信号が出力されている状態等であって、これらいずれの状態においても上記各フック検出手段４，５の検出信号に基づく安全性確保のための正常な制御が阻害される状態である。
【００４１】
従って、この場合には、先ず、ステップＳ８において上記警報手段６から所定の警報を発して異常状態であることを作業員に報知し、作業員に上記各フック検出手段４，５のゴミかみの有無等の点検、場合によっては故障した各フック検出手段４，５の修理あるいは交換を行わしめる。また、同時に、高所作業車の作動、即ち、上記作業台移動手段１０の作動を規制し、上記点検・修理作業の便に供すると共に、安全性が確保されない状態での高所作業の実行を未然に阻止する。
【００４２】
さらに、ステップＳ９においては、上記各フック検出手段４，５のいずれからもフック係止信号が出力されていないかどうか（即ち、上記点検・修理等が完了したかどうか）を判定し、フック係止信号が未だ出力されている場合にはこの出力が無くなるまで待機し、該フック係止信号の出力が無くなった時点で、ステップＳ３に移行してイニシャライズし、以後の高所作業に備える。
【００４３】
ステップＳ３におけるイニシャライズの終了後、実際的な安全制御に移行する。即ち、先ず、ステップＳ４において、上記各フック検出手段４，５の全てからフック係止信号が出力されているかどうかが判定される。
【００４４】
ここで、上記各フック検出手段４，５の全てからフック係止信号が出力されていると判定された場合は、例えば作業台１５に作業員が二人搭乗し、これら二人の作業員のそれぞれが自己が装着している補助ロープ３１のフック３２を、それぞれ上記各フック係止部２１，２２に係止し、これにより上記各フック検出手段４，５からそれぞれフック係止信号が出力されている状態、あるいは作業台１５に作業員が一人搭乗し、この作業員が自己が装着している補助ロープ３１のフック３２を上記各フック係止部２１，２２のいずれか一方に係止するとともに、上記ダミーフックを上記各フック係止部２１，２２のいずれか他方に係止し、これにより上記各フック検出手段４，５からそれぞれフック係止信号が出力されている状態であり、これらいずれの状態においても上記作業台１５に搭乗した作業員全員の安全性が確保された状態である。従って、この場合には、上記操作レバー１８の操作に基づく上記高所作業車Ｚの作動を許容して所要の高所作業を可能とする（ステップＳ５）。
【００４５】
これに対して、上記各フック検出手段４，５のいずれか一方、あるいは双方からフック係止信号が出力されていないと判定された場合であるが、この状態は、例えば、作業台１５に作業員が二人搭乗したものの、これら二人の作業員の双方、あるいはいずれか一人が、自己が装着している補助ロープ３１のフック３２を上記各フック係止部２１，２２に係止するのを怠っている状態か、作業台１５に作業員が一人搭乗し、この作業員が自己が装着している補助ロープ３１のフック３２を上記各フック係止部２１，２２のいずれか一方に係止したものの、いずれか他方に上記ダミーフックを係止するのを怠っている状態、あるいは作業員が自己が装着した補助ロープ３１のフック３２及びダミーフックの双方を上記各フック係止部２１，２２に係止するのを怠っている状態であり、これらいずれの状態においても、作業員全員の安全性の確保と上記各フック検出手段４，５の信頼性の確保とを両立させることができない状態である。
【００４６】
従って、この場合には、上記警報手段６により所定の警報を発して作業員に補助ロープ３１のフック３２あるいは上記ダミーフックの係止を促すとともに、安全性の確保の観点から高所作業車Ｚの作動を規制する（ステップＳ７）。そして、この警報の発生及び高所作業車Ｚの作動規制は、上記各フック検出手段４，５の全てからフック係止信号が出力されるまで（即ち、作業員全員の安全性の確保が確認されるまで）継続され、該各フック検出手段４，５の全てからフック係止信号が出力された時点でステップＳ５に移行し、高所作業車Ｚの作動が許容され、高所作業の実行が可能とされる。
【００４７】
そして、上記ステップＳ４、ステップＳ５及びステップＳ７の制御は、電源が遮断されるまで（即ち、高所作業が終了するまで）繰り返され、これにより、高所作業の開始後、作業員が補助ロープ３１のフック３２あるいは上記ダミーフックを上記各フック係止部２１，２２から意識的に取り外し、その状態で高所作業が続行されるということが防止され、高所作業中における安全性の確保がより確実ならしめられるものである。
【００４８】
尚、上記実施形態においては、上記作業台１５の最大搭乗員数が「２」とされた高所作業車Ｚの場合を例にとって説明したが、本願発明はこれに限定されるものではなく、最大搭乗員数が複数とされた高所作業車Ｚに広く適用できるものである。
【図面の簡単な説明】
【図１】
本願発明にかかる安全装置を備えた高所作業車の全体図である。
【図２】
図１に示した作業台の要部平面図である。
【図３】
図２のＩＩＩ−ＩＩＩ矢視図である。
【図４】
図３のＩＶ−ＩＶ矢視図である。
【図５】
本願発明にかかる安全装置の機能ブロック図である。
【図６】
本願発明にかかる安全装置の制御フローチャートである。
【符号の説明】
１は制御手段、２は油圧ユニット、３は操作部、４は第１フック検出手段、５は第２フック検出手段、６は警報手段、７は旋回台側送受信手段、８は作業台側送受信手段、９は信号伝達手段、１０は作業台移動手段、１２は車両、１３は旋回台、１４はブーム、１５は作業台、１６はバケット支持部、１７はバケット、１８は操作レバー、２１は第１フック係止部、２２は第２フック係止部、２３はブラケット、２４は保護カバー、２５は受光器、２６は投光器、２７は受光器、２８は投光器、３１は補助ロープ、３２はフック、Ｚは高所作業車である。